(57)【要約】【課題】風呂の蒸気をその内部に多量かつ長時間滞留させることができ、息苦しくなることなく充分に発汗作用を促進することができ、しかも身体のどの部位にも圧迫感を感じさせることがなく、さらに肩こりなどの治療にも役立つ発汗作用促進器を提供する。【解決手段】空気取込口を両側端面に有し、底部が開放された発汗作用促進器であって、屈曲、湾曲またはそれらの組み合わせからなる複数の線状部材からなり、該複数の線状部材の開放部分が前記底部を向くように前記発汗作用促進器の長手方向に対して垂直な方向に互いに平行に離間するように配設された骨格、および該骨格に張設されたカバー部材からなることを特徴としている。【選択図】図１
0003109436.tif 000002
【実用新案登録請求の範囲】
【請求項１】
空気取込口を両側端面に有し、底部が開放された発汗作用促進器であって、
屈曲、湾曲またはそれらの組み合わせからなる複数の線状部材からなり、該複数の線状部材の開放部分が前記底部を向くように前記発汗作用促進器の長手方向に対して垂直な方向に互いに平行に離間するように配設された骨格、および
該骨格に張設されたカバー部材からなる発汗作用促進器。
【請求項２】
前記複数の線状部材のうち両端に配設された線状部材の末端が前記空気取込口付近まで延設されてなる請求項１記載の発汗作用促進器。
【請求項３】
前記複数の線状部材のうち少なくとも１つ以上の線状部材に取っ手が配設されてなる請求項１または２記載の発汗作用促進器。
【請求項４】
前記側端面の少なくとも一方が開閉自在に構成されてなる請求項１、２または３記載の発汗作用促進器。
【請求項５】
空気取込口を両側端面に有し、底部が開放された発汗作用促進器であって、
屈曲、湾曲またはそれらの組み合わせからなる複数の線状部材からなり、該複数の線状部材の開放部分が前記底部を向くように前記発汗作用促進器の長手方向に互いに平行に離間するように配設され、かつ該複数の線状部材の末端が前記空気取込口の形状に沿うように配設された骨格、および
該骨格に張設されたカバー部材からなる発汗作用促進器。
【請求項６】
前記骨格によって構成されるそれぞれの面に対して垂直方向に折畳み可能である請求項１、２、３または４記載の発汗作用促進器。
【請求項７】
前記骨格の長手方向に対して垂直な面において水平方向に折畳み可能である請求項５記載の発汗作用促進器。
【請求項８】
前記カバー部材が軟質合成樹脂フィルム製である請求項１、２、３、４、５、６または７記載の発汗作用促進器。
【請求項９】
少なくとも一方の側端面の前記カバー部材が硬質合成樹脂フィルム製である請求項１、２、３、４、６または８記載の発汗作用促進器。
【請求項１０】
少なくとも一方の側端面の前記カバー部材が硬質ゴム製である請求項１、２、３、４、６または８記載の発汗作用促進器。
【請求項１１】
前記底部に配設された骨格と該骨格に隣接する骨格とに張設されたカバー部材のうち少なくとも一方のカバー部材が硬質合成樹脂フィルム製である請求項５、７または８記載の発汗作用促進器。
【請求項１２】
前記底部に配設された骨格と該骨格に隣接する骨格とに張設されたカバー部材のうち少なくとも一方のカバー部材が硬質ゴム製である請求項５、７または８記載の発汗作用促進器。
【請求項１３】
前記カバー部材が透明または半透明である請求項１、２、３、４、５、６、７、８、９または１１記載の発汗作用促進器。
【請求項１４】
前記カバー部材が不透明である請求項１、２、３、４、５、６、７、８、９、１０、１１または１２記載の発汗作用促進器。
【請求項１５】
前記骨格が合成樹脂製である請求項１、２、３、４、５、６、７、８、９、１０、１１、１２、１３または１４記載の発汗作用促進器。
【考案の詳細な説明】
【技術分野】
【０００１】
本考案は発汗作用促進器に関する。さらに詳しくは、入浴時に風呂の蒸気を利用して顔面の発汗作用を促進し、毛穴を掃除して肌をきれいにし、皮膚の活性化を図る発汗作用促進器に関する。また、入浴時に風呂の蒸気を利用して上半身の発汗作用を促進し、新陳代謝をよくすることにより肩こりなどの治療に役立つ発汗作用促進器に関する。
【背景技術】
【０００２】
蒸気を発生させるための特別な装置を必要とせず、入浴時に風呂の蒸気を利用して、顔面や上半身の発汗作用を促進し、毛穴を掃除して肌をきれいにし、皮膚の活性化を図ったり、新陳代謝をよくしたりするための器具として、従来より顔面部分のみを覆うパック方式のもの（たとえば、特許文献１および２参照）や頭部および顔面全体を覆う覆面方式のもの（たとえば、特許文献３参照）や天頂部が開口した帽子の鍔の部分に蒸気を滞留させておくためのスカート部材を配設した帽子方式のもの（たとえば、特許文献４参照）などが知られている。
【０００３】
【特許文献１】実開昭６２−２０２８３４号公報
【特許文献２】実開平４−８４０号公報
【特許文献３】実開昭６０−１８２０４２号公報
【特許文献４】登録実用新案第３０９２８１１号公報
【考案の開示】
【考案が解決しようとする課題】
【０００４】
しかし、パック方式の器具では、覆われている部分が顔面部分のみであり、後頭部の部分に隙間があるため、蒸気を充分に滞留させることができないという問題があった。また、覆面方式の器具では、パック方式のものよりも長時間覆面内部に蒸気を滞留させておくことができるものの、覆面の内面と顔面との間の空間が狭いため多くの蒸気を取り込むことができないという問題があった。さらに、帽子方式の器具では、覆面方式のものより多量の蒸気を器具内部に滞留させておくことができるものの、該器具の使用者の身長によってはスカート部材の下辺部が風呂の湯につかることもあるため、顔面から充分に発汗する前に息苦しくなったり、多量の蒸気を器具内部に滞留させるために内部の空間を大きくする目的で帽子の鍔を大きくした場合は、スカート部材の表面積も広くなり、器具全体の重量が嵩張るため、器具を取り付けている使用者の頭部が圧迫感を受けるという問題があった。
【０００５】
本考案は、かかる従来の発汗作用促進器の問題点を解消し、風呂の蒸気を発汗作用促進器内部に多量かつ長時間滞留させることができ、息苦しくなることなく充分に発汗作用を促進することができ、しかも身体のどの部位にも圧迫感を感じさせることがなく、さらに肩こりなどの治療にも役立つ発汗作用促進器を提供することを目的とする。
【課題を解決するための手段】
【０００６】
本考案の発汗作用促進器は、空気取込口を両側端面に有し、底部が開放された発汗作用促進器であって、屈曲、湾曲またはそれらの組み合わせからなる複数の線状部材からなり、該複数の線状部材の開放部分が前記底部を向くように前記発汗作用促進器の長手方向に対して垂直な方向に互いに平行に離間するように配設された骨格、および該骨格に張設されたカバー部材からなることを特徴としている。
【０００７】
また、前記複数の線状部材のうち両端に配設された線状部材の末端が前記空気取込口付近まで延設されてなることが好ましい。
【０００８】
また、前記複数の線状部材のうち少なくとも１つ以上の線状部材に取っ手が配設されてなることが好ましい。
【０００９】
また、前記側端面の少なくとも一方が開閉自在に構成されてなることが好ましい。
【００１０】
さらに、空気取込口を両側端面に有し、底部が開放された発汗作用促進器であって、屈曲、湾曲またはそれらの組み合わせからなる複数の線状部材からなり、該複数の線状部材の開放部分が前記底部を向くように前記発汗作用促進器の長手方向に互いに平行に離間するように配設され、かつ該複数の線状部材の末端が前記空気取込口の形状に沿うように配設された骨格、および該骨格に張設されたカバー部材からなることが好ましい。
また、前記骨格によって構成されるそれぞれの面に対して垂直方向に折畳み可能であることが好ましい。
【００１１】
また、前記骨格の長手方向に対して垂直な面において水平方向に折畳み可能であることが好ましい。
【００１２】
また、前記カバー部材が軟質合成樹脂フィルム製であることが好ましい。
【００１３】
また、少なくとも一方の側端面の前記カバー部材が硬質合成樹脂フィルム製であることが好ましい。
【００１４】
また、少なくとも一方の側端面の前記カバー部材が硬質ゴム製であることが好ましい。
【００１５】
また、前記底部に配設された骨格と該骨格に隣接する骨格とに張設されたカバー部材のうち少なくとも一方のカバー部材が硬質合成樹脂フィルム製であることが好ましい。
【００１６】
また、前記底部に配設された骨格と該骨格に隣接する骨格とに張設されたカバー部材のうち少なくとも一方のカバー部材が硬質ゴム製であることが好ましい。
【００１７】
また、前記カバー部材が透明、半透明または不透明であることが好ましい。
【００１８】
また、前記骨格が合成樹脂製であることが好ましい。
【考案の効果】
【００１９】
本考案の発汗作用促進器は、空気取込口を両側端面に有し、底部が開放された発汗作用促進器であって、屈曲、湾曲またはそれらの組み合わせからなる複数の線状部材からなり、該複数の線状部材の開放部分が前記底部を向くように前記発汗作用促進器の長手方向に対して垂直な方向に互いに平行に離間するように配設された骨格、および該骨格に張設されたカバー部材から構成されているため、開放された底部から頭部および顔面ないしは上半身を挿入し、内部に風呂の蒸気を取り込むことにより顔面および上半身の発汗作用を促進し、皮膚の活性化を図ったり、新陳代謝をよくすることができる。また、底部が充分広く開放されているので、風呂の蒸気を発汗作用促進器内部に多量かつ長時間滞留させることができ、より効率的に顔面や上半身の発汗作用を促進し、皮膚の活性化を図ったり、新陳代謝をよくすることができる。さらに、本考案の発汗作用促進器は風呂の側縁に載置できるようにも構成されているので、使用者の身体のどの部位にも負担をかけることがない。
【考案を実施するための最良の形態】
【００２０】
添付図面を参照しながら、本考案の発汗作用促進器を以下に詳細に説明する。
【００２１】
図１は本考案の一実施の形態にかかわる発汗作用促進器の全体を示す斜視図、図２は骨格とカバー部材の接合方法の一例を説明するための断面説明図、図３は本考案の一実施の形態にかかわる発汗作用促進器の浴槽内での使用例を示す側面説明図、図４は本考案の一実施の形態にかかわる発汗作用促進器の浴槽内での使用例を示す正面説明図、図５ａ〜図５ｃは本考案の一実施の形態にかかわる発汗作用促進器の折畳みの機構を説明するための概略断面説明図、図６は本考案のほかの実施の形態にかかわる発汗作用促進器の全体を示す斜視図、図７は本考案のさらにほかの実施の形態にかかわる発汗作用促進器の全体を示す斜視図、図８は図７に示される発汗作用促進器の線状部材の構成の一例を説明するための部分斜視図、図９ａ〜図９ｆは図７に示される発汗作用促進器の折畳みの機構を説明するための概略断面説明図である。
【００２２】
実施の形態１
まず、本実施の形態にかかわる発汗作用促進器（以下、発汗作用促進器という）の構成を説明する。
【００２３】
図１に示すように、発汗作用促進器１は、骨格２およびその骨格２に張設されたカバー部材３とから構成されている。骨格２は、それを形成するアーチ形状の各線状部材２１の開放部分が発汗作用促進器１の底部４を向くように、発汗作用促進器１の長手方向に対して垂直な方向に互いに平行に離間するように配設され、両端に配設された線状部材２１の末端がそれぞれ空気取込口５ａ、５ｂ付近まで延設されている。線状部材２１は、その断面形状がたとえば、長方形、正方形、円形のものを採用し得るが、カバー部材３との接合面積を考慮すると、長方形のものが好ましい。
【００２４】
また、骨格２を構成する線状部材２１は、６本から９本の範囲で適宜採用し得るが、発汗作用促進器１の強度および後述する折畳み易さの観点から７本が好ましい。
【００２５】
骨格２の材質は、合成樹脂であり、ＡＢＳ（アクリロニトリル−ブタジエン−スチレン共重合体）、ポリエチレン、ポリプロプレンなどを適宜採用し得る。
【００２６】
また、図１を参照すると、発汗作用促進器１の大きさは、高さ（Ｈ）が４０ｃｍから６０ｃｍ、幅（Ｗ）が５０ｃｍから９０ｃｍ、奥行（Ｄ）が４５ｃｍから５５ｃｍの範囲で、適宜製作し得るが、使用者（性別を問わない）の平均的な体型を考慮すると、高さ５０ｃｍ、奥行５０ｃｍが好ましく、また浴槽の平均的な大きさを考慮すると、幅は７５ｃｍが好ましい。後述するように、発汗作用促進器１は骨格２によって構成されるそれぞれの面に対して垂直方向に折畳み可能（スライド可能）に構成されているので、幅が７５ｃｍのものでも、浴槽の大きさによって適宜スライドさせて、たとえば５０ｃｍから７５ｃｍの範囲で使用することができる。
【００２７】
なお、本実施の形態では、線状部材２１がアーチ形状のものについて説明したが、コの字形状、三角形状のものなど骨格になり得る適度な強度があれば、屈曲もしくは湾曲した形状またはそれらの組み合わせからなる形状のものを適宜採用し得る。また、図１を参照すると、空気取込口５ａ、５ｂはアーチ形状を呈しているが、矩形、三角形、円形、楕円形などの形状を採用することができる。
【００２８】
つぎに、カバー部材３について説明する。
【００２９】
カバー部材３は、発汗作用促進器１の側端面６ａ、６ｂと屋根部７においてそれぞれ別部材により構成されている。屋根部７は、矩形状のカバー部材３２が骨格２の線状部材２１と接合されており、側端面６ａ、６ｂは、縦長の半楕円形の下辺中央をその半楕円形よりも小さい縦長の半楕円形で切り欠いた形状、すなわち略アーチ形状を呈するカバー部材３１が骨格２の線状部材２１と接合されている。側端面６ａ、６ｂのカバー部材３１は屋根部７のカバー部材３２よりも硬質の材料で構成されており、好適には硬質合成樹脂フィルムまたは合成ゴムを用いることができる。カバー部材３と線状部材２１との接合手段は、好適には熱溶着または接着である。また、図２に示されるように、線状部材２１に凹所２１ａを設け、線状部材２１にカバー部材３を被着した後、凹所２１ａに嵌合する突起Ｃａを備えたクリップＣを圧入することによってカバー部材３と骨格２とを接合することもできる。
【００３０】
カバー部材３において側端面６ａ、６ｂと屋根部７との境目、すなわち側端面６ａ、６ｂのカバー部材３１と屋根部７のカバー部材３２とは、熱溶着または接着により接合することができるが、発汗作用促進器１内部の密閉性を考慮すると、熱溶着が好ましい。
【００３１】
また、屋根部７のカバー部材３２の材質は軟質合成樹脂フィルムである。カバー部材３は、透明、半透明または不透明のいずれでもよいが、発汗作用促進器１を使用中の使用者の心理的効果を考慮すると、透明が好ましい。
【００３２】
つぎに、図面３および４を参照しながら、発汗作用促進器１の使用方法について説明する。
【００３３】
まず、発汗作用促進器１の使用者は、あらかじめ給湯された浴槽８内に入湯する。ついで、発汗作用促進器１の両側端面６ａ、６ｂに設けられた空気取込口５ａ、５ｂを両手で持ち、頭上に差し上げた後、両側端面６ａ、６ｂの下辺部９ａ、９ｂが浴槽８の側縁部８１ａ、８１ｂに載置されるように、伸ばした腕を徐々に曲げながら静かに下ろす。その結果、使用者の頭部および顔面ないし肩が発汗作用促進器１の内部にすっぽり収納され、浴槽８内の湯面から上昇する蒸気が発汗作用促進器１の開放された底部４から発汗作用促進器１内部に充填される。充填された蒸気は、側端面６ａ、６ｂに設けられた空気取込口５ａ、５ｂから少しは漏れるものの、その量よりも底部４から入る量の方が多いため、常に多量の蒸気が充填された状態が保たれる。使用者の頭部および顔面ないし肩は、その充満された蒸気の中にあるので、顔面や肩の温度が上昇して、発汗する。数分から数十分そのままの状態を保持しておくと、発汗に伴って、毛穴が掃除され、同時に老廃物や化粧品の落とし残りも流しだすことができ、肌がきれいになり、皮膚が活性化される。また、肩などの上半身の新陳代謝も促進され、たとえば肩こりなどの治療になる。
【００３４】
なお、本実施の形態では、発汗作用促進器１を浴槽８の側縁部８１ａ、８１ｂに載置して使用する場合について説明したが、たとえば半身浴の場合などにおいて、発汗作用促進器１を一部折畳んで（スライドさせて）、その幅を浴槽の幅よりも狭くして、発汗作用促進器１の両側端面６ａ、６ｂの下辺部９ａ、９ｂを使用者の両肩に載置して使用してもよい。
【００３５】
つぎに、図５ａ〜図５ｃを参照しながら、発汗作用促進器１の折畳みの機構を説明する。図５ａ〜図５ｃは、発汗作用促進器１の折畳みの過程をＸ−Ｘ方向（図３参照）から見た概略断面説明図である。
【００３６】
まず、骨格２の線状部材２１ａ、２１ａ´を線状部材２１ｂ、２１ｂ´の方向に押すと、その力Ｐ１、Ｐ１´は屋根部７のカバー部材３２ａ、３２ａ´に一部吸収され、カバー部材３２ａ、３２ａ´は内側方向に撓むと同時に、残りの力Ｐ１、Ｐ１´はカバー部材３２ｂ、３２ｂ´に吸収されながら線状部材２１ｃ、２１ｃ´に伝達され、さらにカバー部材３２ｃ、３２ｃ´に吸収されながら線状部材２１ｄに伝達される。前記力Ｐ１、Ｐ１´を吸収したカバー部材３２ｂ、３２ｂ´は、前記カバー部材３２ａ、３２ａ´よりも小さく、しかし前記カバー部材３２ｃ、３２ｃ´よりも大きく内側方向に撓む。
【００３７】
前記カバー部材３２ａ、３２ａ´が最も大きく内側方向に撓むと、前記線状部材２１ａ、２１ａ´が前記線状部材２１ｂ、２１ｂ´に最も接近し、ほぼ隣接する。かかるほぼ隣接した線状部材２１ａ、２１ａ´および２１ｂ、２１ｂ´をさらに線状部材２１ｃ、２１ｃ´の方向に押すと、その力Ｐ２、Ｐ２´はカバー部材３２ｂ、３２ｂ´に一部吸収され、カバー部材３２ｂ、３２ｂ´は内側方向に撓むと同時に、残りの力Ｐ２、Ｐ２´はカバー部材３２ｃ、３２ｃ´に吸収されながら線状部材２１ｄに伝達される。前記力Ｐ２、Ｐ２´を吸収したカバー部材３２ｃ、３２ｃ´は、前記カバー部材３２ｂ、３２ｂ´よりも小さく内側方向に撓む。
【００３８】
前記カバー部材３２ｂ、３２ｂ´が最も大きく内側方向に撓むと、線状部材２１ａ、２１ａ´および２１ｂ、２１ｂ´が前記線状部材２１ｃ、２１ｃ´に最も接近し、互いにほぼ隣接する。かかる互いにほぼ隣接した線状部材２１ａ、２１ａ´、２１ｂ、２１ｂ´、２１ｃ、２１ｃ´をさらに線状部材２１ｄの方向に押すと、その力Ｐ３、Ｐ３´はカバー部材３２ｃ、３２ｃ´に一部吸収され、カバー部材３２ｃ、３２ｃ´は内側方向に撓むと同時に、残りの力Ｐ３、Ｐ３´は線状部材２１ｄに伝達される。前記力Ｐ３、Ｐ３´を吸収したカバー部材３２ｃ、３２ｃ´は内側方向に撓む。
【００３９】
前記カバー部材３２ｃ、３２ｃ´が最も大きく内側方向に撓むと、線状部材２１ａ、２１ａ´、２１ｂ、２１ｂ´、２１ｃ、２１ｃ´すべてが前記線状部材２１ｄに最も接近して、互いにほぼ隣接し、発汗作用促進器１の折畳みが完了する。
【００４０】
なお、前記発汗作用促進器１の折畳みの機構において、屋根部７のカバー部材３２が内側に撓んで折畳まれる場合について説明したが、屋根部７のカバー部材３２は可撓性を有するため、外側に撓むことも可能なので、カバー部材３２が外側に撓んだ状態で折畳むこともできる。また、折畳む過程において、カバー部材３２は、その場所（たとえば、屋根部７の頂上付近と底部付近）によって内側または外側に撓む可能性があるが、撓む方向の組み合わせは任意であり、いずれの組み合わせであっても折畳むことができる。
【００４１】
発汗作用促進器１を折畳んで収納する場合や折畳んだ状態を保持しておく場合などを考慮して、たとえばスナップボタン付ベルト（図示せず）を両側端面６ａ、６ｂに配設された線状部材２１の頂上付近にそれぞれ設け、べルトのスナップボタンを嵌合させて折畳まれた発汗作用促進器１を開かないようにしてもよい。また、折畳まれた発汗作用促進器１の空気取込口５ａ、５ｂにベルトやひもなどの長尺物を挿通させ、該長尺物の一方の端部が、発汗作用促進器１の屋根部７の頂上付近を発汗作用促進器１の長手方向に通るように回し、前記長尺物の一方の端部ともう一方の端部とを連結させて、折畳まれた発汗作用促進器１を開かないようにしてもよい。
【００４２】
図１に示される本考案の実施の形態では、両端に配設された線状部材２１の末端が空気取込口５ａ、５ｂ付近まで延設されているが、両端に配設された線状部材２１の末端が空気取込口５ａ、５ｂ付近まで延設されていない、ほかの線状部材２１と同様の形状の骨格２を有する発汗作用促進器１（図示せず）もさらにほかの実施の形態として採用することができる。
【００４３】
さらに、本考案のほかの実施の形態にかかわる発汗作用促進器について、図６を参照しながら説明する。
【００４４】
図６に示される発汗作用促進器１は、骨格２を形成する線状部材２１、２１１、２１２、２１３の開放部分が発汗作用促進器１の底部４を向くように、発汗作用促進器１の長手方向に対して垂直な方向に互いに平行に離間するように配設され、両端に配設された線状部材２１１、２１３の末端がそれぞれ空気取込口５ａ、５ｂ付近まで延設されている。また、両側端面６ａ、６ｂの一方が開閉自在に構成されており、開閉自在に構成された一方の側端面６ａを構成する線状部材２１１と隣接する線状部材２１２は、前記側端面６ａを閉じた場合に互いに接するように構成されている。線状部材２１１と線状部材２１２は、たとえば合成樹脂製の蝶番（図示せず）などを用いて接合することができる。開閉自在の側端面６ａは、たとえば発汗作用促進器１の使用中にその幅（Ｗ）を変更する場合において、閉じられた側端面６ａを発汗作用促進器１の中から開けて、後述する取っ手１０を持って一部折畳む（スライドさせる）場合に使用される。
【００４５】
さらに、略アーチ形状を呈する線状部材２１２およびもう一方の側端面６ｂを構成する線状部材２１３の頂上付近には取っ手１０が配設されている。該取っ手１０は、前記以外に、たとえば発汗作用促進器１を折畳むときや持ち運びするときなどに使用される。
【００４６】
実施の形態２
本考案のさらにほかの実施の形態にかかわる発汗作用促進器について、図７を参照しながら説明する。
【００４７】
図７に示される発汗作用促進器１は、骨格２およびその骨格２に張設されたカバー部材３とから構成されている。骨格２は、それを形成する略コの字形状の各線状部材２１の開放部分が発汗作用促進器１の底部４を向くように発汗作用促進器１の長手方向に互いに平行に離間するように配設され、かつ線状部材２１の両末端がそれぞれ空気取込口５ａ、５ｂのアーチ形状に沿うように配設されている。発汗作用促進器１の両側端面６ａ、６ｂに配設された線状部材２１は、中央の線状部材（線状部材２１が奇数本配設されている場合）または中央の隣接する２本の線状部材（線状部材２１が偶数本配設されている場合）が最も長く、空気取込口５ａ、５ｂのアーチ形状に沿って中央から両端に向かって次第に短くなるように構成されている。
【００４８】
また、骨格２を構成する線状部材２１は、６本から９本の範囲で適宜採用し得るが、発汗作用促進器１の強度および後述する折畳み易さの観点から７本が好ましい。骨格２の材質は、合成樹脂である。
【００４９】
なお、本実施の形態では、線状部材２１がコの字形状のものについて説明したが、アーチ形状、三角形状のものなど骨格になり得る適度な強度があれば、屈曲もしくは湾曲した形状またはそれらの組み合わせからなる形状のものを適宜採用し得る。
【００５０】
また、本実施の形態では、線状部材２１がそれぞれ一体で成形されている場合について説明したが、図８に示されるように、別体で成形された各線状部材２１ｅ、２１ｆをＡ方向およびＢ方向に摺動できるように組み合わせた線状部材２１を使用すれば、発汗作用促進器１は長手方向にスライドすることができる。
【００５１】
つぎに、カバー部材３について説明する。
【００５２】
カバー部材３は、発汗作用促進器１の側端面６ａ、６ｂと屋根部７においてそれぞれ別部材により構成されている。屋根部７は、矩形状のカバー部材３２（３２１、３２２）が骨格２の線状部材２１と接合されており、側端面６ａ、６ｂは、縦長の半楕円形の下辺中央をその半楕円形よりも小さい縦長の半楕円形で切り欠いた形状、すなわち略アーチ形状を呈するカバー部材３１（３１１、３１２）が骨格２の線状部材２１と接合されている。カバー部材３の材質は、軟質合成樹脂フィルムである。また、発汗作用促進器１を折畳んだり、折畳んだ発汗作用促進器１を開いたりするための強度を考慮して、たとえば底部４に配設された線状部材２１１と該線状部材２１１に隣接する線状部材２１２とに張設されたカバー部材３１１、３２１を硬質合成樹脂フィルムまたは合成ゴムで構成してもよい。
【００５３】
つぎに、図９ａ〜図９ｆを参照しながら、発汗作用促進器１の折畳みの機構を説明する。図９ａ〜図９ｃは、発汗作用促進器１の折畳みの過程をＹ−Ｙ方向（図７参照）から見た概略断面説明図であり、図９ｄ〜図９ｆは、折畳みの過程をＺ−Ｚ方向（図７参照）から見た概略断面説明図である。
【００５４】
まず、骨格２の線状部材２１ｇ、２１ｇ´を線状部材２１ｈ、２１ｈ´の方向に引き上げると、その力Ｐ４、Ｐ４´は屋根部７のカバー部材７１ｇ、７１ｇ´および側端面のカバー部材６１ｇ、６１ｇ´に一部吸収され、カバー部材７１ｇ、７１ｇ´は内側方向に、カバー部材６１ｇ、６１ｇ´は外側方向に撓むと同時に、残りの力Ｐ４、Ｐ４´はカバー部材７１ｈ、７１ｈ´およびカバー部材６１ｈ、６１ｈ´に吸収されながら線状部材２１ｉ、２１ｉ´に伝達され、さらにカバー部材７１ｉ、７１ｉ´およびカバー部材６１ｉ、６１ｉ´に吸収されながら線状部材２１ｊに伝達される。前記力Ｐ４、Ｐ４´を吸収したカバー部材７１ｈ、７１ｈ´は、前記カバー部材７１ｇ、７１ｇ´よりも小さく、しかし前記カバー部材７１ｉ、７１ｉ´よりも大きく内側方向に撓む。同様に、前記力Ｐ４、Ｐ４´を吸収したカバー部材６１ｈ、６１ｈ´は、前記カバー部材６１ｇ、６１ｇ´よりも小さく、しかし前記カバー部材６１ｉ、６１ｉ´よりも大きく外側方向に撓む。
【００５５】
前記カバー部材７１ｇ、７１ｇ´および前記カバー部材６１ｇ、６１ｇ´がそれぞれ最も大きく内側方向および外側方向に撓むと、前記線状部材２１ｇ、２１ｇ´が前記線状部材２１ｈ、２１ｈ´に最も接近し、ほぼ隣接する。かかるほぼ隣接した線状部材２１ｇ、２１ｇ´および２１ｈ、２１ｈ´をさらに線状部材２１ｉ、２１ｉ´の方向に引き上げると、その力Ｐ５、Ｐ５´はカバー部材７１ｈ、７１ｈ´およびカバー部材６１ｈ、６１ｈ´に一部吸収され、カバー部材７１ｈ、７１ｈ´は内側方向に、カバー部材６１ｈ、６１ｈ´は外側方向に撓むと同時に、残りの力Ｐ５、Ｐ５´はカバー部材７１ｉ、７１ｉ´およびカバー部材６１ｉ、６１ｉ´に吸収されながら線状部材２１ｊに伝達される。前記力Ｐ５、Ｐ５´を吸収したカバー部材７１ｉ、７１ｉ´は、前記カバー部材７１ｈ、７１ｈ´よりも小さく内側方向に撓む。同様に、前記力Ｐ５、Ｐ５´を吸収したカバー部材６１ｉ、６１ｉ´は、前記カバー部材６１ｈ、６１ｈ´よりも小さく外側方向に撓む。
【００５６】
前記カバー部材７１ｈ、７１ｈ´および前記カバー部材６１ｈ、６１ｈ´がそれぞれ最も大きく内側方向および外側方向に撓むと、線状部材２１ｇ、２１ｇ´および２１ｈ、２１ｈ´が前記線状部材２１ｉ、２１ｉ´に最も接近し、互いにほぼ隣接する。かかる互いにほぼ隣接した線状部材２１ｇ、２１ｇ´、２１ｈ、２１ｈ´、２１ｉ、２１ｉ´をさらに線状部材２１ｊの方向に引き上げると、その力Ｐ６、Ｐ６´はカバー部材７１ｉ、７１ｉ´およびカバー部材６１ｉ、６１ｉ´に一部吸収され、カバー部材７１ｉ、７１ｉ´は内側方向に、カバー部材６１ｉ、６１ｉ´は外側方向に撓むと同時に、残りの力Ｐ６、Ｐ６´は線状部材２１ｊに伝達される。前記力Ｐ６、Ｐ６´を吸収したカバー部材７１ｉ、７１ｉ´は内側方向に撓み、同様に、前記力Ｐ６、Ｐ６´を吸収したカバー部材６１ｉ、６１ｉ´は外側方向に撓む。
【００５７】
前記カバー部材７１ｉ、７１ｉ´および前記カバー部材６１ｉ、６１ｉ´がそれぞれ最も大きく内側方向および外側方向に撓むと、線状部材２１ｇ、２１ｇ´、２１ｈ、２１ｈ´、２１ｉ、２１ｉ´すべてが前記線状部材２１ｊに最も接近して、互いにほぼ隣接し、発汗作用促進器１の折畳みが完了する。
【００５８】
なお、前記発汗作用促進器１の折畳みの機構において、屋根部のカバー部材７１および側端面のカバー部材６１がそれぞれ内側および外側に撓んで折畳まれる場合について説明したが、屋根部のカバー部材７１および側端面のカバー部材６１はいずれも可撓性を有するため、それぞれ外側および内側に撓むことも可能なので、カバー部材７１、６１が撓む方向の組み合わせは任意であり、いずれの組み合わせであっても折畳むことができる。
【図面の簡単な説明】
【００５９】
【図１】本考案の一実施の形態にかかわる発汗作用促進器の全体を示す斜視図である。
【図２】骨格とカバー部材の接合方法の一例を説明するための断面説明図である。
【図３】本考案の一実施の形態にかかわる発汗作用促進器の浴槽内での使用例を示す側面説明図である。
【図４】本考案の一実施の形態にかかわる発汗作用促進器の浴槽内での使用例を示す正面説明図である。
【図５ａ】本考案の一実施の形態にかかわる発汗作用促進器の折畳みの機構を説明するための概略断面説明図である。
【図５ｂ】本考案の一実施の形態にかかわる発汗作用促進器の折畳みの機構を説明するための概略断面説明図である。
【図５ｃ】本考案の一実施の形態にかかわる発汗作用促進器の折畳みの機構を説明するための概略断面説明図である。
【図６】本考案のほかの実施の形態にかかわる発汗作用促進器の全体を示す斜視図である。
【図７】本考案のさらにほかの実施の形態にかかわる発汗作用促進器の全体を示す斜視図である。
【図８】図７に示される発汗作用促進器の線状部材の構成の一例を説明するための部分斜視図である。
【図９ａ】図７に示される発汗作用促進器の折畳みの機構を説明するための概略断面説明図である。
【図９ｂ】図７に示される発汗作用促進器の折畳みの機構を説明するための概略断面説明図である。
【図９ｃ】図７に示される発汗作用促進器の折畳みの機構を説明するための概略断面説明図である。
【図９ｄ】図７に示される発汗作用促進器の折畳みの機構を説明するための概略断面説明図である。
【図９ｅ】図７に示される発汗作用促進器の折畳みの機構を説明するための概略断面説明図である。
【図９ｆ】図７に示される発汗作用促進器の折畳みの機構を説明するための概略断面説明図である。
【符号の説明】
【００６０】
１    発汗作用促進器
２    骨格
２１  線状部材
３    カバー部材
５    空気取込口
６    側端面
７    屋根部
１０  取っ手
【図１】
0003109436.tif 000003
【図２】
0003109436.tif 000004
【図３】
0003109436.tif 000005
【図４】
0003109436.tif 000006
【図５ａ】
0003109436.tif 000007
【図５ｂ】
0003109436.tif 000008
【図５ｃ】
0003109436.tif 000009
【図６】
0003109436.tif 000010
【図７】
0003109436.tif 000011
【図８】
0003109436.tif 000012
【図９ａ】
0003109436.tif 000013
【図９ｂ】
0003109436.tif 000014
【図９ｃ】
0003109436.tif 000015
【図９ｄ】
0003109436.tif 000016
【図９ｅ】
0003109436.tif 000017
【図９ｆ】
0003109436.tif 000018